(57)【要約】［課題］トラヒック量を取得するために生じる負荷を低減し、正確なトラヒック量を把握することに貢献すること。［解決手段］管理装置は、ネットワークに含まれる第１のスイッチ群のうち、当該第１のスイッチ群に含まれるスイッチを端点に有する、リンク群に関するトポロジー情報を取得する、トポロジー情報取得部と、リンク群を構成する、リンクの端点のいずれかを含むスイッチの集合となる、１又は２以上の監視対象スイッチを選択する、スイッチ選択部と、監視対象スイッチから統計情報を取得する、統計情報取得部と、を備える。
2016147613.tif 000002
【特許請求の範囲】
【請求項１】
ネットワークに含まれる第１のスイッチ群のうち、当該第１のスイッチ群に含まれるスイッチを端点に有する、リンク群に関するトポロジー情報を取得する、トポロジー情報取得手段と、
前記トポロジー情報に基づいて、前記リンク群を構成する、リンクの端点のいずれかを含むスイッチの集合となる、１又は２以上の監視対象スイッチを選択する、スイッチ選択手段と、
前記監視対象スイッチから統計情報を取得する、統計情報取得手段と、
を備える管理装置。
【請求項２】
経路情報を取得する経路情報取得手段と、
前記経路情報、及び前記トポロジー情報に基づいて、前記第１のスイッチ群から、所定の条件を満たす１又は２以上の第２のスイッチを選択し、選択した前記第２のスイッチを端点とするリンク群を生成し、当該生成したリンク群に基づいて、前記トポロジー情報を更新する、トポロジー情報更新手段と、
をさらに備え、
前記スイッチ選択手段は、前記トポロジー情報更新手段が生成した前記リンク群に基づいて、１又は２以上の前記監視対象スイッチを選択する、請求項１に記載の管理装置。
【請求項３】
前記トポロジー情報更新手段は、前記第１のスイッチ群を含んで構成されるネットワークと、当該ネットワークに対する外部ネットワークと、の接点となるとともに、前記経路情報に含まれるスイッチを、前記第２のスイッチとして選択する、請求項２に記載の管理装置。
【請求項４】
前記トポロジー情報更新手段は、前記第１のスイッチ群において、自スイッチとは異なるスイッチとのリンクの数が、所定の数を超えるとともに、前記経路情報に含まれるスイッチを、前記第２のスイッチとして選択する、請求項２又は３に記載の管理装置。
【請求項５】
前記トポロジー情報更新手段は、前記経路情報に基づいて、前記第１のスイッチ群において、経路が発生、又は終端するスイッチを、前記第２のスイッチとして選択する、請求項２乃至４のいずれか一に記載の管理装置。
【請求項６】
前記第１のスイッチ群に含まれるスイッチを端点に有するリンクと、当該リンクの統計情報を取得する前記監視対象スイッチと、を対応付けたテーブルを生成する、テーブル生成手段をさらに備える、請求項１乃至５のいずれか一に記載の管理装置。
【請求項７】
前記スイッチ選択手段は、前記監視対象スイッチのセットを、２以上作成し、前記統計情報の取得のタイミング毎に、前記セットを選択し、選択した前記セットから前記監視対象スイッチを選択する、請求項１乃至６のいずれか一に記載の管理装置。
【請求項８】
前記スイッチ選択手段は、前記監視対象スイッチのセットを、２以上作成し、前記リンク群に含まれるリンクにおいて、当該リンクの端点のスイッチ毎に、統計情報の取得頻度を算出し、スイッチ毎の前記取得頻度に基づいて、前記セットを選択し、選択した前記セットから前記監視対象スイッチを選択する、請求項７に記載の管理装置。
【請求項９】
ネットワークに含まれる第１のスイッチ群のうち、当該第１のスイッチ群に含まれるスイッチを端点に有する、リンク群に関するトポロジー情報を取得し、
前記トポロジー情報に基づいて、前記リンク群を構成する、リンクの端点のいずれかを含むスイッチの集合となる、１又は２以上の監視対象スイッチを選択し、
前記監視対象スイッチから統計情報を取得する
ネットワーク管理方法。
【請求項１０】
ネットワークに含まれる第１のスイッチ群のうち、当該第１のスイッチ群に含まれるスイッチを端点に有する、リンク群に関するトポロジー情報を取得する処理と、
前記リンク群を構成する、リンクの端点のいずれかを含むスイッチの集合となる、１又は２以上の監視対象スイッチを選択する処理と、
前記監視対象スイッチから統計情報を取得する処理と、
を、前記第１のスイッチ群に接続する管理装置を制御するコンピュータに実行させるプログラムが記憶された記憶媒体。
【発明の詳細な説明】
【技術分野】
【０００１】
本発明は、管理装置、ネットワーク管理方法及びプログラムが記憶された記憶媒体に関する。
【背景技術】
【０００２】
ネットワークを構成する各リンクのトラヒック量を把握するためには、各リンクの統計情報を取得する必要がある。そこで、各リンクの統計情報を取得するために、ＳＮＭＰ（Simple Network Management Protocol）、ｓＦｌｏｗ、ＮｅｔＦｌｏｗといったプロトコルを用いて、各スイッチから統計情報を取得する方法が利用されている。【０００３】
特許文献１には、所定の条件を満たすルータから、トラヒック量の通知を受信し、当該ルータにおける、通知されたトラヒック量以外のトラヒック量を推定する技術が記載されている。【０００４】
非特許文献１には、トラヒック量を取得するために基準とする情報を限定し、限られた情報からトラヒック量を推定する技術が記載されている。
【先行技術文献】
【特許文献】
【０００５】
【特許文献１】特開２００６−０１３９２６号公報
【０００６】
【非特許文献１】Yuichi OSHITA et al, “Estimation of Current Traffic Matrices from Long Term Traffic Variations”, IEICE TRANSACTIONS on Communications Vol.E92-B No.1 pp.171-183
【発明の概要】
【発明が解決しようとする課題】
【０００７】
なお、上述の各先行技術文献による開示を、本書に引用をもって繰り込むものとする。以下の分析は、本発明の観点からなされたものである。【０００８】
上記の通り、ネットワークを構成する各リンクのトラヒック量を把握するためには、各リンクの統計情報を取得する必要がある。しかし、トラヒック量をモニタリングするためには、リンクの統計情報を定期的に収集することが必要である。しかし、監視対象のネットワークの規模が大きくなるほど、統計情報を取得するためのトラヒック量が増大し、結果的にネットワークの負荷は増大する。また、統計情報を取得する周期時間を短くするほど、スイッチの負荷は増大する。【０００９】
ここで、特許文献１、及び非特許文献１に記載された技術では、トラヒック量を推定する際に、推定誤差が生じる恐れがある。そのため、特許文献１、及び非特許文献１に記載された技術では、正確なトラヒック量を把握できない恐れがある。【００１０】
そこで、本発明は、トラヒック量を取得するために生じる負荷を低減し、正確なトラヒック量を把握することに貢献する管理装置、ネットワーク管理方法及びプログラムが記憶された記憶媒体を提供することを目的とする。
【課題を解決するための手段】
【００１１】
本発明の第１の視点によれば、下記の機能を備える管理装置が提供される。該管理装置は、ネットワークに含まれる第１のスイッチ群のうち、当該第１のスイッチ群に含まれるスイッチを端点に有する、リンク群に関するトポロジー情報を取得する、トポロジー情報取得部を備える。
さらに、該管理装置は、前記リンク群を構成する、リンクの端点のいずれかを含むスイッチの集合となる、１又は２以上の監視対象スイッチを選択する、スイッチ選択部を備える。
さらに、該管理装置は、前記監視対象スイッチから統計情報を取得する、統計情報取得部を備える。【００１２】
本発明の第２の視点によれば、下記の工程を含むネットワーク管理方法が提供される。
該ネットワーク管理方法は、ネットワークに含まれる第１のスイッチ群のうち、当該第１のスイッチ群に含まれるスイッチを端点に有する、リンク群に関するトポロジー情報を取得する工程を含む。
さらに、該ネットワーク管理方法は、前記リンク群を構成する、リンクの端点のいずれかを含むスイッチの集合となる、１又は２以上の監視対象スイッチを選択する工程を含む。
さらに、該ネットワーク管理方法は、前記監視対象スイッチから統計情報を取得する工程を含む。
なお、本方法は、スイッチに接続し、スイッチから統計情報を取得する管理装置という、特定の機械に結び付けられている。【００１３】
本発明の第３の視点によれば、下記の処理を含むプログラムが記憶された記憶媒体が提供される。該プログラムが記憶された記憶媒体には、ネットワークに含まれる第１のスイッチ群のうち、当該第１のスイッチ群に含まれるスイッチを端点に有する、リンク群に関するトポロジー情報を取得する処理を、前記第１のスイッチ群に接続する管理装置を制御するコンピュータに実行させるためのプログラムが記憶されている。
さらに、該プログラムが記憶された記憶媒体は、前記リンク群を構成する、リンクの端点のいずれかを含むスイッチの集合となる、１又は２以上の監視対象スイッチを選択する処理を該コンピュータに実行させるためのプログラムが記憶されている。
さらに、該プログラムが記憶された記憶媒体は、前記監視対象スイッチから統計情報を取得する処理を、該コンピュータに実行させるためのプログラムが記憶されている。
なお、本プログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【発明の効果】
【００１４】
本発明の各視点によれば、トラヒック量を取得するために生じる負荷を低減し、正確なトラヒック量を把握することに貢献する管理装置、ネットワーク管理方法及びプログラムが記憶された記憶媒体が提供される。
【図面の簡単な説明】
【００１５】
【図１】一実施形態の概要を説明するための図である。
【図２】管理装置１００の内部構成の一例を示すブロック図である。
【図３】ネットワーク制御部１０５の内部構成の一例を示すブロック図である。
【図４】第１の実施形態に係る管理装置１００の動作の一例を示すフローチャートである。
【図５】スイッチ３０１〜３０８の接続、及びスイッチ３０１〜３０８を接続する経路の一例を示す図である。
【図６】更新されたトポロジーの一例を示す図である。
【図７】各リンクと、当該各リンクの統計情報を取得するためのスイッチとの対応関係を示す図である。
【図８】第２の実施形態に係る管理装置１００の動作の一例を示すフローチャートである。
【図９】更新されたトポロジーの一例を示す図である。
【図１０】更新されたトポロジーの一例を示す図である。
【図１１】更新されたトポロジーの一例を示す図である。
【図１２】更新されたトポロジーの一例を示す図である。
【図１３】各リンクと、当該各リンクの統計情報を取得するためのスイッチとの対応関係を示す図である。
【発明を実施するための形態】
【００１６】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００１７】
上述の通り、トラヒック量を取得するために生じる負荷を低減し、正確なトラヒック量を把握することに貢献する管理装置が望まれる。
【００１８】
そこで、一例として、図１に示す管理装置１０を提供する。管理装置１０は、トポロジー情報取得部１１と、スイッチ選択部１２と、統計情報取得部１３と、を備える。
【００１９】
トポロジー情報取得部１１は、ネットワークに含まれる第１のスイッチ群のうち、当該第１のスイッチ群に含まれるスイッチを端点に有する、リンク群に関するトポロジー情報を取得する。
【００２０】
スイッチ選択部１２は、トポロジー情報に含まれるリンク群を構成する、リンクの端点のいずれかを含むスイッチの集合となる、１又は２以上の監視対象スイッチを選択する。
選択される監視対象スイッチは、所定のリンク群で構成される範囲のネットワークにおいて、いずれかのリンクに接続するスイッチである。
【００２１】
例えば、スイッチ選択部１２は、ネットワークを構成する全てのリンクにおいて、各リンクの端点の少なくとも一方を含むスイッチの集合となる、１又は２以上の監視対象スイッチを選択しても良い。その場合、選択される監視対象スイッチは、ネットワーク全体において、いずれかのリンクに接続するスイッチである。
【００２２】
ここで、スイッチ選択部１２は、選択される監視対象スイッチの総数が、第１のスイッチ群に含まれるスイッチの総数より少なくなるように、監視対象スイッチを選択することが好ましい。つまり、スイッチ選択部１２は、第１のスイッチ群から、一部のスイッチを監視対象スイッチとして選択することが好ましい
【００２３】
統計情報取得部１３は、スイッチ選択部１２が選択した監視対象スイッチから、統計情報を取得する。つまり、統計情報取得部１３は、第１のスイッチ群のうち、一部のスイッチ（即ち、監視対象スイッチ）から統計情報を取得する。なお、本書において、統計情報とは、リンクを流れるトラヒックの統計情報を意味するものとする。
【００２４】
その結果、管理装置１０は、トラヒック量を取得するために生じる負荷を低減することに貢献する。さらに、上述の通り、統計情報の取得対象とする範囲のネットワークにおいて、選択される監視対象スイッチは、いずれかのリンクに接続するスイッチである。そのため、統計情報の取得対象とするリンクに関して、管理装置１０は、当該リンクに接続するスイッチから、正確なトラヒック量を容易に把握できる。以上より、管理装置１０は、トラヒック量を取得するために生じる負荷を低減し、正確なトラヒック量を把握することに貢献する。
【００２５】
［第１の実施形態］
第１の実施形態について、図面を用いてより詳細に説明する。
【００２６】
図２は、本実施形態に係る管理装置１００の内部構成の一例を示すブロック図である。
管理装置１００は、通信部１０１と、経路情報管理部１０２と、トポロジー情報管理部１０３と、統計情報管理部１０４と、ネットワーク制御部１０５と、を含んで構成される。
【００２７】
通信部１０１は、各ネットワークノードと、異なるシステムとの通信を制御する。経路情報管理部１０２は、ネットワーク上の経路の経路情報を管理する。トポロジー情報管理部１０３は、ネットワーク構成に関する、トポロジー情報を管理する。統計情報管理部１０４は、トラヒックに関する統計情報を保持する。ネットワーク制御部１０５は、管理装置１００の管理対象となるネットワークを制御する。
【００２８】
以下、ネットワーク制御部１０５について詳細に説明する。
【００２９】
図３は、ネットワーク制御部１０５の内部構成の一例を示すブロック図である。ネットワーク制御部１０５は、トポロジー情報取得部１０５１と、経路情報取得部１０５２と、トポロジー情報更新部１０５３と、スイッチ選択部１０５４と、テーブル生成部１０５５と、統計情報取得部１０５６とを含んで構成される。
【００３０】
トポロジー情報取得部１０５１は、ネットワーク構成に関する、トポロジー情報を特定する。具体的には、トポロジー情報取得部１０５１は、ネットワークに含まれる第１のスイッチ群のうち、当該第１のスイッチ群に含まれるスイッチを端点に有する、リンク群に関するトポロジー情報を取得する。
【００３１】
そして、トポロジー情報取得部１０５１は、ネットワークに含まれる１または２以上のスイッチ（上記の第１のスイッチ群）、及び当該スイッチを端点とする、１又は２以上のリンク（上記のリンク群）を特定する。
【００３２】
経路情報取得部１０５２は、経路情報を取得する。具体的には、経路情報取得部１０５２は、経路情報管理部１０２から経路情報を取得する。
【００３３】
トポロジー情報更新部１０５３は、経路情報、及びトポロジー情報に基づいて、第１のスイッチ群から、所定の条件を満たす１又は２以上の第２のスイッチを選択し、選択した第２のスイッチを端点とするリンク群を生成する。そして、トポロジー情報更新部１０５３は、当該生成したリンク群に基づいて、トポロジー情報を更新する。
【００３４】
ここで、トポロジー情報更新部１０５３は、更新後のトポロジー情報に含まれるスイッチの数（即ち、第２のスイッチの数）が、更新前のトポロジー情報に含まれるスイッチの数（即ち、第１のスイッチ群に含まれるスイッチの数）より少なくなるように、トポロジー情報を更新する。換言すると、トポロジー情報更新部１０５３は、更新後のトポロジー情報に含まれるリンクの数が、更新後のトポロジー情報に含まれるリンクの数より少なくなるように、トポロジー情報を更新する。つまり、トポロジー情報更新部１０５３は、縮退するように、トポロジー情報を更新する。ただし、トポロジー情報更新部１０５３は、トポロジー情報の更新後、トポロジー情報の更新前のネットワークの帯域が維持されるように、トポロジー情報を更新するものとする。
【００３５】
以下、上記の第２のスイッチについて詳細に説明する。
【００３６】
トポロジー情報更新部１０５３は、以下の条件１〜条件３の少なくともいずれかを満たすスイッチを、第２のスイッチとして選択する。
【００３７】
（条件１）
第１のスイッチ群を含んで構成されるネットワークと、当該ネットワークに対する外部ネットワークと、の接点となるとともに、経路情報に含まれるスイッチ。
【００３８】
（条件２）
第１のスイッチ群において、自スイッチとは異なるスイッチとのリンクの数が、所定の数（例えば、３個）を超えるとともに、経路情報に含まれるスイッチ。
【００３９】
（条件３）
経路情報に基づいて、第１のスイッチ群において、経路が発生、又は終端するスイッチ。
【００４０】
スイッチ選択部１０５４は、トポロジー情報に含まれるリンク群を構成する、リンクの端点のいずれかを含むスイッチの集合となる、１又は２以上の監視対象スイッチを選択する。ここで、監視対象スイッチとは、統計情報取得部１０５６が、統計情報を収集する対象とする、スイッチを意味する。そして、監視対象スイッチの集合は、リンク群から構成されるグラフにおいては、頂点被覆となる頂点の集合に相当する。
【００４１】
また、スイッチ選択部１０５４は、トポロジー情報更新部１０５３がトポロジー情報を更新した場合、更新したトポロジー情報に含まれるリンク群に基づいて、１又は２以上の監視対象スイッチを選択する。つまり、スイッチ選択部１０５４は、ネットワークが縮退するように、トポロジー情報を更新した場合、縮退したトポロジー情報に基づいて、統計情報を収集するスイッチを選択する。
【００４２】
テーブル生成部１０５５は、第１のスイッチ群に含まれるスイッチを端点に有するリンクと、当該リンクの統計情報を取得する監視対象スイッチと、を対応付けたテーブルを生成する。
【００４３】
統計情報取得部１０５６は、監視対象スイッチから統計情報を取得する。具体的には、統計情報取得部１０５６は、統計情報を取得するリンクが指定された場合、テーブル生成部１０５５が生成するテーブルを参照し、対象のリンクに対応する監視対象スイッチを特定する。そして、統計情報取得部１０５６は、特定された監視対象スイッチのポートにおける、送信トラヒック量、及び受信トラヒック量を取得する。そして、統計情報取得部１０５６は、取得した送信トラヒック量、及び受信トラヒック量に基づいて、各スイッチにおけるトラヒック量の統計値を、統計情報として算出する。
【００４４】
次に、本実施形態における管理装置１００の動作について説明する。
【００４５】
図４は、管理装置１００の動作の一例を示すフローチャートである。
【００４６】
ステップＳ１において、トポロジー情報更新部１０５３は、ネットワークを構成するスイッチ群（第１のスイッチ群）から、所定の条件を満たす、１又は２以上の第２のスイッチを選択する。
【００４７】
具体的には、トポロジー情報取得部１０５１は、経路情報管理部１０２から、ネットワークの経路情報を取得する。また、トポロジー情報取得部１０５１は、トポロジー情報管理部１０３から、ネットワークのトポロジー情報を取得する。そして、トポロジー情報取得部１０５１は、トポロジー情報に基づいて、第１のスイッチ群を特定する。また、トポロジー情報取得部１０５１は、特定された第１のスイッチ群に含まれるスイッチを端点とする、１又は２以上のリンクを特定する。そして、トポロジー情報更新部１０５３は、上記の条件１〜条件３の少なくともいずれかを満たすスイッチを、第２のスイッチとして選択する。
【００４８】
ステップＳ２において、トポロジー情報更新部１０５３は、選択した第２のスイッチを端点とするリンク群を生成する。
【００４９】
ステップＳ３において、スイッチ選択部１０５４は、生成したリンク群から、１又は２以上の監視対象スイッチを選択する。そして、テーブル生成部１０５５は、第１のスイッチ群に含まれるスイッチを端点に有するリンクと、当該リンクの統計情報を取得する監視対象スイッチと、を対応付けたテーブルを生成する。
【００５０】
ステップＳ４において、統計情報取得部１０５６は、監視対象スイッチから、統計情報を取得する。
【００５１】
ステップＳ５において、統計情報取得部１０５６は、取得した統計情報に基づいて、ネットワーク上のトラヒック量を算出する。そして、統計情報取得部１０５６は、取得した統計情報を、統計情報管理部１０４に保存する。そして、管理装置１００は、ステップＳ４、ステップＳ５の処理を繰り返し、統計情報を集積する。
【００５２】
以下、監視対象スイッチを選択する処理の一例について、図面を参照しながら詳細に説明する。
【００５３】
図５は、スイッチ３０１〜３０８の接続、及びスイッチ３０１〜３０８を接続する経路の一例を示す図である。図５において、各円は、各通信装置（スイッチ）を表すものとする。そして、図５において、各円内の数字は、説明のために、スイッチを識別する参照符号であるものとする。また、図５の場合、スイッチ３０１〜３０８が、上記の第１のスイッチ群に相当するものとする。なお、図６、図９〜図１２においても同様であるものとする。
【００５４】
図５は、経路Ｌ１（図５に示す実線）、経路Ｌ２（図５に示す点線）、経路Ｌ３（図５に示す破線）、経路Ｌ４（図５に示す一点破線）、経路Ｌ５（図５に示す二点破線）を示す。より具体的には、以下の通り、図５に示す経路Ｌ１〜Ｌ５は、以下のスイッチを端点とするリンクを含んで構成される。
経路Ｌ１：スイッチ３０１―スイッチ３０２、スイッチ３０２−スイッチ３０３、スイッチ３０３−スイッチ３０５、スイッチ３０５−スイッチ３０６、スイッチ３０６−スイッチ３０８、スイッチ３０８−スイッチ３０４、スイッチ３０４―スイッチ３０１、スイッチ３０１−スイッチ３０７、スイッチ３０７−スイッチ３０８
経路Ｌ２：スイッチ３０２−スイッチ３０３、スイッチ３０３−スイッチ３０５、スイッチ３０５−スイッチ３０６
経路Ｌ３：スイッチ３０１−スイッチ３０４、スイッチ３０４―スイッチ３０８、スイッチ３０８−スイッチ３０６
経路Ｌ４：スイッチ３０１−スイッチ３０７、スイッチ３０７−スイッチ３０８、スイッチ３０８−スイッチ３０６
経路Ｌ５：スイッチ３０１−スイッチ３０７
【００５５】
ここで、図５に示すネットワークの場合、トポロジー情報管理部１０３は、スイッチ３０１〜３０８の接続関係を記憶する。また、経路情報管理部１０２は、経路Ｌ１〜Ｌ５に関する情報を記憶する。
【００５６】
その場合、トポロジー情報取得部１０５１は、トポロジー情報管理部１０３を参照し、スイッチ３０１〜３０８の接続関係を取得する。また、経路情報取得部１０５２は、経路情報管理部１０２を参照し、経路Ｌ１〜Ｌ５に関する情報を取得する。そして、トポロジー情報更新部１０５３は、図５に示すスイッチ３０１〜３０８から、上記の条件１〜条件３を満たす第２のスイッチを選択する。
【００５７】
ここで、条件２として、トポロジー情報更新部１０５３は、第１のスイッチ群において、自スイッチとは異なるスイッチとのリンクの数が３個を超えるスイッチを、第２のスイッチとして選択するものとする。その場合、トポロジー情報更新部１０５３は、上記の条件１〜条件３の少なくともいずれかを満たす第２のスイッチとして、スイッチ３０１、スイッチ３０２、スイッチ３０３、スイッチ３０６、スイッチ３０７、スイッチ３０８を選択する。そして、トポロジー情報更新部１０５３は、第２のスイッチを端点とするリンク群を生成し、当該生成したリンク群に基づいて、トポロジー情報を更新する。具体的には、トポロジー情報更新部１０５３は、図６に示すスイッチを含むリンク群を生成する。
【００５８】
図６は、トポロジー情報更新部１０５３が更新する、リンク群の一例を示す図である。
図６に示すリンク群においては、図５に示すスイッチ３０４、スイッチ３０５を、夫々、スイッチ３０１、スイッチ３０３に含むものとし、スイッチ３０１、３０３をスイッチ３０１’、スイッチ３０３’と呼ぶ。その結果、図６に示す通り、トポロジー情報更新部１０５３は、以下のリンク群を生成する。
【００５９】
生成されたリンク群：スイッチ３０１’−スイッチ３０２、スイッチ３０２−スイッチ３０３’、スイッチ３０３’−スイッチ３０６、スイッチ３０６−スイッチ３０８、スイッチ３０８−スイッチ３０１’、スイッチ３０８−スイッチ３０７、スイッチ３０７−スイッチ３０１’
【００６０】
ここで、スイッチ選択部１０５４は、トポロジー情報更新部１０５３が更新したリンク群から、全てのリンクにおける端点の少なくとも一方を含む、１又は２以上の監視対象スイッチを選択するものとする。例えば、以下の説明では、スイッチ選択部１０５４は、スイッチ３０１’、スイッチ３０３’、スイッチ３０８を、監視対象スイッチとして選択するものとする。
【００６１】
その場合、統計情報取得部１０５６は、監視対象スイッチ（スイッチ３０１’、スイッチ３０３’、スイッチ３０８）に対応する、以下のリンクの統計情報を取得する。
・スイッチ３０１’：スイッチ３０１’―スイッチ３０２、スイッチ３０１’―スイッチ３０７、スイッチ３０１’―スイッチ３０８
・スイッチ３０３’：スイッチ３０３’―スイッチ３０２、スイッチ３０３’―スイッチ３０６
・スイッチ３０８：スイッチ３０８―スイッチ３０１’、スイッチ３０８―スイッチ３０６、スイッチ３０８−スイッチ３０７
【００６２】
なお、スイッチ３０１’―スイッチ３０８のリンクのように、スイッチ３０１’、及びスイッチ３０８の両方から、統計情報を取得できる場合、統計情報取得部１０５６は、いずれか一つのスイッチ（例えば、スイッチ３０１’、又はスイッチ３０８）から統計情報を取得すれば良い。以上より、統計情報取得部１０５６は、縮退したトポロジー情報における、全てのリンクの統計情報を取得する。
【００６３】
また、統計情報取得部１０５６が、第２のスイッチに含まれないリンクにおける、トラヒックに関する統計情報を取得する場合を考える。つまり、図５に示すスイッチ３０１〜スイッチ３０８の場合、
・スイッチ３０１−スイッチ３０４
・スイッチ３０４−スイッチ３０８
・スイッチ３０３−スイッチ３０５
・スイッチ３０５−スイッチ３０６
のリンクにおけるトラヒックに関する統計情報を、統計情報取得部１０５６が取得する場合を考える。その場合、統計情報取得部１０５６は、スイッチ３０１−スイッチ３０４、スイッチ３０４−スイッチ３０８のリンクの統計情報として、スイッチ３０１’―スイッチ３０８のリンクの統計情報を使用すれば良い。同様に、統計情報取得部１０５６は、スイッチ３０３−スイッチ３０５、スイッチ３０５−スイッチ３０６のリンクの統計情報として、スイッチ３０３’―スイッチ３０６のリンクの統計情報を使用すれば良い。
【００６４】
図７は、図５に示す各リンクと、当該各リンクの統計情報を取得するためのスイッチとの対応関係を示す図である。図５に示すネットワークの場合、図７に示す通り、リンクの統計情報を取得するためのスイッチは、スイッチ３０１、スイッチ３０３、スイッチ３０８のいずれかである。つまり、選択された監視対象スイッチから、統計情報取得部１０５６が統計情報を収集することで、管理装置１００は、ネットワークの前リンクのトラヒックに関する統計情報を把握することが可能になる。
【００６５】
以上のように、本実施形態に係る管理装置１００は、ネットワークに含まれるスイッチから、統計情報を取得するスイッチを選択（限定）する。さらに、本実施形態に係る管理装置１００は、ネットワークを構成するリンクのいずれかに接続するスイッチを、統計情報を取得するスイッチとして選択する。その結果、本実施形態に係る管理装置１００は、トラヒック量を取得するために生じる負荷を低減し、正確なトラヒック量を把握することに貢献する。
【００６６】
［第２の実施形態］
第２の実施形態について、図面を用いてより詳細に説明する。
【００６７】
本実施形態は、監視対象スイッチセットを複数作成する形態である。なお、本実施形態における説明では、上記の実施形態と重複する部分の説明は省略する。さらに、本実施形態における説明では、上記の実施形態と同一の構成要素には、同一の符号を付し、その説明を省略する。また、本実施形態における説明では、上記の実施形態と同一の作用効果についても、その説明を省略する。
【００６８】
管理装置１００の内部構成は、図２に示す通りである。また、ネットワーク制御部１０５の内部構成は、図３に示す通りである。以下の説明では、第１の実施形態と相違する点について、詳細に説明する。
【００６９】
本実施形態に係るスイッチ選択部１０５４は、監視対象スイッチのセットを、２以上作成する。そして、本実施形態に係る統計情報取得部１０５６は、統計情報の取得のタイミング毎に、監視対象スイッチのセットを選択し、選択した監視対象スイッチのセットに含まれるスイッチを、監視対象スイッチとして選択する。そして、統計情報取得部１０５６は、選択した監視対象スイッチから、統計情報を取得する。
【００７０】
また、本実施形態に係る統計情報取得部１０５６は、トポロジー情報更新部１０５３が更新したリンク群に含まれるリンクにおいて、端点のスイッチ毎に、統計情報の取得頻度を算出しても良い。その場合、統計情報取得部１０５６は、スイッチ毎の取得頻度に基づいて、監視対象スイッチのセットを選択する。そして、統計情報取得部１０５６は、選択した監視対象スイッチのセットに含まれるスイッチを、監視対象スイッチとして選択する。そして、統計情報取得部１０５６は、選択した監視対象スイッチから、統計情報を取得する。
【００７１】
次に、本実施形態に係る管理装置１００の動作について説明する。
【００７２】
図８は、本実施形態に係る管理装置１００の動作の一例を示すフローチャートである。
なお、図８に示すステップＳ１０１、ステップＳ１０２は、図４に示すステップＳ１、ステップＳ２と同様であるため、詳細な説明は省略する。
【００７３】
ステップＳ１０３において、スイッチ選択部１０５４は、監視対象スイッチのセットを、２以上作成する。
【００７４】
ステップＳ１０４において、スイッチ選択部１０５４は、スイッチの負荷に基づいて、統計情報を取得する監視対象スイッチのセットを決定する。
【００７５】
ステップＳ１０５において、統計情報取得部１０５６は、決定した監視対象スイッチのセットに含まれるスイッチから、統計情報を取得する。
【００７６】
ステップＳ１０６において、取得した統計情報に基づいて、ネットワーク上のトラヒック情報を作成する。
【００７７】
以下、本実施形態に係る監視対象スイッチを選択する処理の一例について、図面を参照しながら詳細に説明する。
【００７８】
まず、上記の通り、図５に示すスイッチ３０１〜３０８、及び経路Ｌ１からＬ５において、トポロジー情報更新部１０５３は、第２のスイッチとして、スイッチ３０１、スイッチ３０２、スイッチ３０３、スイッチ３０６、スイッチ３０７、スイッチ３０８を選択したとする。
【００７９】
そして、本実施形態に係るスイッチ選択部１０５４は、監視対象スイッチのセット（以下、「スイッチのセット」と呼ぶ）として、以下に示すスイッチのセット１〜４を作成するものとする。図９〜図１２は、スイッチのセット１〜４の監視対象スイッチを示す図である。図９〜図１２においては、太線で示すスイッチは、夫々のセットにおける監視対象スイッチを示す。
スイッチのセット１（図９参照）：スイッチ３０１’、スイッチ３０３’、スイッチ３０８
スイッチのセット２（図１０参照）：スイッチ３０２、スイッチ３０６、スイッチ３０７、スイッチ３０８
スイッチのセット３（図１１参照）：スイッチ３０１’、スイッチ３０３’、スイッチ３０６、スイッチ３０７
スイッチのセット４（図１２参照）：スイッチ３０２、スイッチ３０３’、スイッチ３０７、スイッチ３０８
【００８０】
また、図１３は、スイッチのセット毎に、図５に示す各リンクと、当該各リンクの統計情報を取得するためのスイッチとの対応関係を示す図である。スイッチ選択部１０５４が、スイッチのセットを作成した場合、テーブル生成部１０５５は、図１３に示すテーブルを生成しても良い。つまり、テーブル生成部１０５５は、スイッチのセット毎に、当該セットに含まれるスイッチを端点に有するリンクと、当該リンクの統計情報を取得する監視対象スイッチと、を対応付けたテーブルを生成しても良い。管理装置１００は、図１３に示すようなテーブルを生成し、記憶しておくことで、効率的に、統計情報の取得対象のスイッチを決定できる。
【００８１】
そして、スイッチ選択部１０５４は、統計情報の取得のタイミング毎に、スイッチのセットを選択する。そして、スイッチ選択部１０５４は、選択したスイッチのセットから、監視対象スイッチとして選択する。そして、統計情報取得部１０５６は、統計情報の取得対象のリンクに応じて、テーブル生成部１０５５が生成したテーブルを参照し、統計情報の取得対象のスイッチを決定する。
【００８２】
例えば、統計情報取得部１０５６は、統計情報を最初に取得する場合には、上記のスイッチのセット１を用いて、統計情報を取得する。そして、統計情報取得部１０５６は、統計情報を次に取得する場合には、上記のスイッチのセット１を用いて、統計情報を取得しても良い。
【００８３】
ここで、例えば、図１３に示すテーブルを参照すると、スイッチ３０１−スイッチ３０７のリンクの場合、スイッチのセットに応じて、統計情報の取得対象のスイッチが異なる。具体的には、スイッチのセット１、３の場合には、スイッチ３０１−スイッチ３０７のリンクに対応する、統計情報の取得対象のスイッチは、スイッチ３０１である。一方、スイッチのセット２、４の場合には、スイッチ３０１−スイッチ３０７のリンクに対応する、統計情報の取得対象のスイッチは、スイッチ３０７である。
【００８４】
そこで、スイッチ選択部１０５４は、スイッチ毎に、統計情報の取得回数をカウントしても良い。そして、統計情報取得部１０５６は、スイッチ毎の統計情報の取得回数に応じて、トラヒック量の統計値を調整しても良い。
【００８５】
また、スイッチ選択部１０５４は、スイッチ毎に、統計情報の取得頻度を算出し、スイッチ毎の取得頻度に基づいて、スイッチのセットを選択しても良い。そして、スイッチ選択部１０５４は、選択したスイッチのセットから、監視対象スイッチを選択しても良い。
【００８６】
また、管理装置１００は、各スイッチの負荷を取得しても良い。そして、スイッチ選択部１０５４は、スイッチの負荷に基づいて、スイッチのセットを選択しても良い。例えば、スイッチ３０３の負荷が高くなったとする。その場合、スイッチ選択部１０５４は、スイッチ３０３を含まない、スイッチのセット２を選択しても良い。その結果、管理装置１００は、スイッチ３０３に対する負荷を低減できる。
【００８７】
以上のように、本実施形態に係る管理装置１００は、監視対象スイッチのセットを、２以上作成する。そして、本実施形態に係る管理装置１００は、状況に応じて、統計情報の取得対象のスイッチを切り替えることで、所定のスイッチに対するアクセス（統計情報の取得処理）が増加することを抑制できる。その結果、本実施形態に係る管理装置１００は、より一層、トラヒック量を取得するために生じる負荷を低減し、正確なトラヒック量を把握することに貢献する。
【００８８】
上述の実施形態の一部又は全部は、以下の付記のようにも記載され得るが、以下には限られない。
【００８９】
（付記１）上記の第１の視点に係る管理装置の通りである。
【００９０】
（付記２）経路情報を取得する経路情報取得部と、前記経路情報、及び前記トポロジー情報に基づいて、前記第１のスイッチ群から、所定の条件を満たす１又は２以上の第２のスイッチを選択し、選択した前記第２のスイッチを端点とするリンク群を生成し、当該生成したリンク群に基づいて、前記トポロジー情報を更新する、トポロジー情報更新部と、をさらに備え、前記スイッチ選択部は、前記トポロジー情報更新部が更新した前記トポロジー情報に基づいて、１又は２以上の前記監視対象スイッチを選択する、付記１に記載の管理装置。
【００９１】
（付記３）前記トポロジー情報更新部は、前記第１のスイッチ群を含んで構成されるネットワークと、当該ネットワークに対する外部ネットワークと、の接点となるとともに、前記経路情報に含まれるスイッチを、前記第２のスイッチとして選択する、付記２に記載の管理装置。
【００９２】
（付記４）前記トポロジー情報更新部は、前記第１のスイッチ群において、自スイッチとは異なるスイッチとのリンクの数が、所定の数を超えるとともに、前記経路情報に含まれるスイッチを、前記第２のスイッチとして選択する、付記２又は３に記載の管理装置。
【００９３】
（付記５）前記トポロジー情報更新部は、前記経路情報に基づいて、前記第１のスイッチ群において、経路が発生、又は終端するスイッチを、前記第２のスイッチとして選択する、付記２乃至４のいずれか一に記載の管理装置。
【００９４】
（付記６）前記第１のスイッチ群に含まれるスイッチを端点に有するリンクと、当該リンクの統計情報を取得する前記監視対象スイッチと、を対応付けたテーブルを生成する、テーブル生成部をさらに備える、付記１乃至５のいずれか一に記載の管理装置。
【００９５】
（付記７）前記スイッチ選択部は、前記監視対象スイッチのセットを、２以上作成し、前記統計情報の取得のタイミング毎に、前記セットを選択し、選択した前記セットから前記監視対象スイッチを選択する、付記１乃至６のいずれか一に記載の管理装置。
【００９６】
（付記８）前記スイッチ選択部は、前記監視対象スイッチのセットを、２以上作成し、前記リンク群に含まれるリンクにおいて、当該リンクの端点のスイッチ毎に、統計情報の取得頻度を算出し、スイッチ毎の前記取得頻度に基づいて、前記セットを選択し、選択した前記セットから前記監視対象スイッチを選択する、付記７に記載の管理装置。
【００９７】
（付記９）前記テーブル生成部は、前記セット毎に、当該セットに含まれるスイッチを端点に有するリンクと、当該リンクの統計情報を取得する前記監視対象スイッチと、を対応付けたテーブルを生成する、付記７又は８に記載の管理装置。
【００９８】
（付記１０）上記第２の視点に係るネットワーク管理方法の通りである。
【００９９】
（付記１１）上記第３の視点に係るプログラムの通りである。
【０１００】
なお、上記の付記１０乃至１１に示す形態は、付記１に示す形態と同様に、付記２乃至９に示す形態に展開することが可能である。
【０１０１】
なお、上記の特許文献及び非特許文献の開示を、本書に引用をもって繰り込むものとする。本発明の全開示（請求の範囲を含む）の枠内において、さらにその基本的技術思想に基づいて、実施形態の変更・調整が可能である。また、本発明の全開示の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
以上、実施形態を参照して本願発明を説明したが、本願発明は上記実施形態に限定されるものではない。本願発明の構成や詳細には、本願発明のスコープ内で当業者が理解し得る様々な変更をすることができる。
この出願は、２０１５年３月１３日に出願された日本出願特願２０１５−０５１２２３を基礎とする優先権を主張し、その開示の全てをここに取り込む。
【符号の説明】
【０１０２】
１０、１００  管理装置
１１、１０５１  トポロジー情報取得部
１２、１０５４  スイッチ選択部
１３、１０５６  統計情報取得部
１０１  通信部
１０２  経路情報管理部
１０３  トポロジー情報管理部
１０４  統計情報管理部
１０５  ネットワーク制御部
３０１〜３０８  スイッチ
１０５２  経路情報取得部
１０５３  トポロジー情報更新部
１０５５  テーブル生成部
Ｌ１〜Ｌ５  経路
【図１】
2016147613.tif 000003
【図２】
2016147613.tif 000004
【図３】
2016147613.tif 000005
【図４】
2016147613.tif 000006
【図５】
2016147613.tif 000007
【図６】
2016147613.tif 000008
【図７】
2016147613.tif 000009
【図８】
2016147613.tif 000010
【図９】
2016147613.tif 000011
【図１０】
2016147613.tif 000012
【図１１】
2016147613.tif 000013
【図１２】
2016147613.tif 000014
【図１３】
2016147613.tif 000015
【手続補正書】
【提出日】平成28年7月28日(2016.7.28)
【手続補正１】
【補正対象書類名】特許請求の範囲
【補正対象項目名】全文
【補正方法】変更
【補正の内容】
【特許請求の範囲】
【請求項１】
ネットワークに含まれる第１のスイッチ群に含まれるスイッチを端点に有するリンクの集合であるリンク群に関するトポロジー情報に基づいて、前記リンクの端点のいずれかを含むスイッチの集合となる、１又は２以上の監視対象スイッチを選択する、スイッチ選択手段と、
前記監視対象スイッチから統計情報を取得する、統計情報取得手段と、
を備える管理装置。
【請求項２】
前記トポロジー情報を取得する、トポロジー情報取得手段を含む、
請求項１に記載の管理装置。
【請求項３】
ネットワークに含まれる第１のスイッチ群のうち、当該第１のスイッチ群に含まれるスイッチを端点に有する、リンク群に関するトポロジー情報を取得する、トポロジー情報取得手段と、
前記トポロジー情報に基づいて、前記リンク群を構成する、リンクの端点のいずれかを含むスイッチの集合となる、１又は２以上の監視対象スイッチを選択する、スイッチ選択手段と、
前記監視対象スイッチから統計情報を取得する、統計情報取得手段と、
を備える管理装置。
【請求項４】
経路情報を取得する経路情報取得手段と、
前記経路情報、及び前記トポロジー情報に基づいて、前記第１のスイッチ群から、所定の条件を満たす１又は２以上の第２のスイッチを選択し、選択した前記第２のスイッチを端点とするリンク群を生成し、当該生成したリンク群に基づいて、前記トポロジー情報を更新する、トポロジー情報更新手段と、
をさらに備え、
前記スイッチ選択手段は、前記トポロジー情報更新手段が生成した前記リンク群に基づいて、１又は２以上の前記監視対象スイッチを選択する、請求項１乃至３のいずれか一に記載の管理装置。
【請求項５】
前記トポロジー情報更新手段は、前記第１のスイッチ群を含んで構成されるネットワークと、当該ネットワークに対する外部ネットワークと、の接点となるとともに、前記経路情報に含まれるスイッチを、前記第２のスイッチとして選択する、請求項４に記載の管理装置。
【請求項６】
前記トポロジー情報更新手段は、前記第１のスイッチ群において、自スイッチとは異なるスイッチとのリンクの数が、所定の数を超えるとともに、前記経路情報に含まれるスイッチを、前記第２のスイッチとして選択する、請求項４又は５に記載の管理装置。
【請求項７】
前記トポロジー情報更新手段は、前記経路情報に基づいて、前記第１のスイッチ群において、経路が発生、又は終端するスイッチを、前記第２のスイッチとして選択する、請求項４乃至６のいずれか一に記載の管理装置。
【請求項８】
前記第１のスイッチ群に含まれるスイッチを端点に有するリンクと、当該リンクの統計情報を取得する前記監視対象スイッチと、を対応付けたテーブルを生成する、テーブル生成手段をさらに備える、請求項１乃至７のいずれか一に記載の管理装置。
【請求項９】
前記スイッチ選択手段は、前記監視対象スイッチのセットを、２以上作成し、前記統計情報の取得のタイミング毎に、前記セットを選択し、選択した前記セットから前記監視対象スイッチを選択する、請求項１乃至８のいずれか一に記載の管理装置。
【請求項１０】
前記スイッチ選択手段は、前記監視対象スイッチのセットを、２以上作成し、前記リンク群に含まれるリンクにおいて、当該リンクの端点のスイッチ毎に、統計情報の取得頻度を算出し、スイッチ毎の前記取得頻度に基づいて、前記セットを選択し、選択した前記セットから前記監視対象スイッチを選択する、請求項９に記載の管理装置。
【請求項１１】
ネットワークに含まれる第１のスイッチ群に含まれるスイッチを端点に有するリンクの集合であるリンク群に関するトポロジー情報に基づいて、前記リンクの端点のいずれかを含むスイッチの集合となる、１又は２以上の監視対象スイッチを選択し、
前記監視対象スイッチから統計情報を取得する
ネットワーク管理方法。
【請求項１２】
前記トポロジー情報を取得する、請求項１１に記載のネットワーク管理方法。
【請求項１３】
ネットワークに含まれる第１のスイッチ群のうち、当該第１のスイッチ群に含まれるスイッチを端点に有する、リンク群に関するトポロジー情報を取得し、
前記トポロジー情報に基づいて、前記リンク群を構成する、リンクの端点のいずれかを含むスイッチの集合となる、１又は２以上の監視対象スイッチを選択し、
前記監視対象スイッチから統計情報を取得する
ネットワーク管理方法。
【請求項１４】
ネットワークに含まれる第１のスイッチ群に含まれるスイッチを端点に有するリンクの集合であるリンク群に関するトポロジー情報に基づいて、前記リンク群を構成する、リンクの端点のいずれかを含むスイッチの集合となる、１又は２以上の監視対象スイッチを選択する処理と、
前記監視対象スイッチから統計情報を取得する処理と、
を、前記第１のスイッチ群に接続する管理装置を制御するコンピュータに実行させるプログラムが記憶された記憶媒体。
【請求項１５】
前記トポロジー情報を取得する処理を含む、請求項１４に記載のプログラムが記憶された記憶媒体。
【請求項１６】
ネットワークに含まれる第１のスイッチ群のうち、当該第１のスイッチ群に含まれるスイッチを端点に有する、リンク群に関するトポロジー情報を取得する処理と、
前記リンク群を構成する、リンクの端点のいずれかを含むスイッチの集合となる、１又は２以上の監視対象スイッチを選択する処理と、
前記監視対象スイッチから統計情報を取得する処理と、
を、前記第１のスイッチ群に接続する管理装置を制御するコンピュータに実行させるプログラムが記憶された記憶媒体。
【手続補正書】
【提出日】平成29年8月9日(2017.8.9)
【手続補正１】
【補正対象書類名】特許請求の範囲
【補正対象項目名】全文
【補正方法】変更
【補正の内容】
【特許請求の範囲】
【請求項１】
ネットワークに含まれる第１のスイッチ群に含まれるスイッチを端点に有するリンクの集合であるリンク群に関するトポロジー情報に基づいて、前記リンクの端点のいずれかを含むスイッチの集合となる、１又は２以上の監視対象スイッチを選択する、スイッチ選択手段と、
前記監視対象スイッチから統計情報を取得する、統計情報取得手段と、
を備える管理装置。
【請求項２】
前記トポロジー情報を取得する、トポロジー情報取得手段を含む、
請求項１に記載の管理装置。
【請求項３】
ネットワークに含まれる第１のスイッチ群のうち、当該第１のスイッチ群に含まれるスイッチを端点に有する、リンク群に関するトポロジー情報を取得する、トポロジー情報取得手段と、
前記トポロジー情報に基づいて、前記リンク群を構成する、リンクの端点のいずれかを含むスイッチの集合となる、１又は２以上の監視対象スイッチを選択する、スイッチ選択手段と、
前記監視対象スイッチから統計情報を取得する、統計情報取得手段と、
を備える管理装置。
【請求項４】
経路情報を取得する経路情報取得手段と、
前記経路情報、及び前記トポロジー情報に基づいて、前記第１のスイッチ群から、所定の条件を満たす１又は２以上の第２のスイッチを選択し、選択した前記第２のスイッチを端点とするリンク群を生成し、当該生成したリンク群に基づいて、前記トポロジー情報を更新する、トポロジー情報更新手段と、
をさらに備え、
前記スイッチ選択手段は、前記トポロジー情報更新手段が生成した前記リンク群に基づいて、１又は２以上の前記監視対象スイッチを選択する、請求項１乃至３のいずれか一に記載の管理装置。
【請求項５】
前記トポロジー情報更新手段は、前記第１のスイッチ群を含んで構成されるネットワークと、当該ネットワークに対する外部ネットワークと、の接点となるとともに、前記経路情報に含まれるスイッチを、前記第２のスイッチとして選択する、請求項４に記載の管理装置。
【請求項６】
前記トポロジー情報更新手段は、前記第１のスイッチ群において、自スイッチとは異なるスイッチとのリンクの数が、所定の数を超えるとともに、前記経路情報に含まれるスイッチを、前記第２のスイッチとして選択する、請求項４又は５に記載の管理装置。
【請求項７】
前記トポロジー情報更新手段は、前記経路情報に基づいて、前記第１のスイッチ群において、経路が発生、又は終端するスイッチを、前記第２のスイッチとして選択する、請求項４乃至６のいずれか一に記載の管理装置。
【請求項８】
前記第１のスイッチ群に含まれるスイッチを端点に有するリンクと、当該リンクの統計情報を取得する前記監視対象スイッチと、を対応付けたテーブルを生成する、テーブル生成手段をさらに備える、請求項１乃至７のいずれか一に記載の管理装置。
【請求項９】
前記スイッチ選択手段は、前記監視対象スイッチのセットを、２以上作成し、前記統計情報の取得のタイミング毎に、前記セットを選択し、選択した前記セットから前記監視対象スイッチを選択する、請求項１乃至８のいずれか一に記載の管理装置。
【請求項１０】
前記スイッチ選択手段は、前記監視対象スイッチのセットを、２以上作成し、前記リンク群に含まれるリンクにおいて、当該リンクの端点のスイッチ毎に、統計情報の取得頻度を算出し、スイッチ毎の前記取得頻度に基づいて、前記セットを選択し、選択した前記セットから前記監視対象スイッチを選択する、請求項９に記載の管理装置。
【国際調査報告】
2016147613.tif 000016
2016147613.tif 000017